(57)【要約】      （修正有）【課題】お供物である金券類が名札と一体的に移動する結果、喪主側に名札を渡す際に同時に渡すことができるダミー篭盛りを提供する。【解決手段】盛皿部に名札取付部を設置し、前記盛皿部にダミー供物を設置するとともに前記名札取付部に名札を設置したダミー篭盛において、前記名札に補助シートを重ねることによって袋部を形成し、この袋部に金券類を収容したダミー篭盛である。お供物である金券類を喪主側に渡すのを忘れることなく、業者は、当該ダミー篭盛を引き取ることができ繰り返し使用することができる。喪主側は従来と異なり、梱包を解くことなくお供物である金券類のみを受け取ることができる。さらに、梱包を解かないためゴミがでることなく、再利用しやすい。【選択図】図１
0003169977.tif 000002
【実用新案登録請求の範囲】
【請求項１】
盛皿部に名札取付部を設置し、前記盛皿部にダミー供物を設置するとともに前記名札取付部に名札を設置したダミー篭盛において、前記名札に補助シートを重ねることによって袋部を形成し、この袋部に金券類を収容したことを特徴とするダミー篭盛。
【請求項２】
前記袋部を前記名札の裏面に設けるとともに前記名札に窓部を設け、この窓部の内側に前記金券類を配置したことを特徴とする請求項１のダミー篭盛。
【請求項３】
前記袋部を前記名札の表面に設けるとともに前記補助シートを透明部材で形成し、この透明部材の内側に前記金券類を配置したことを特徴とする請求項２のダミー篭盛。
【考案の詳細な説明】
【技術分野】
【０００１】
この考案はダミー篭盛に関し、お供物として金券類を使用するものである。
【背景技術】
【０００２】
従来におけるこの種の篭盛は、盛皿部に、商品引換券、商品券等の金券類を飾ったものであったため、業者にあっては直接果物等のお供え品を盛り付ける必要がないとともに喪主にあってはお供え品を自由に選択できるものであった。
【０００３】
【特許文献１】特開２００３―１３５２５６号公報
【考案の開示】
【考案が解決しようとする課題】
【０００４】
考案者は繰り返し使用するためのダミー篭盛を考えた。このダミー篭盛は、果物、缶詰等のダミーをダミーお供物として盛皿部に配置し、実質的なお供物として上記金券類を使用するものであり、飾った後に、金券類を喪主側に渡し、ダミーお供物はそのままの状態で業者が引き取ってくるものである。
【０００５】
この場合、従来例に従い上記金券類を盛皿部に飾っておくと喪主側に渡すことなくダミーお供物とともに引き取ってくるおそれがあるという不都合が発生した。
【０００６】
この不都合を解消するために、考案者は盛篭に取り付けられた名札は記録のために喪主側に渡してくることに着目し、この考案を完成した。
【課題を解決するための手段】
【０００７】
この考案に係るダミー篭盛においては、盛皿部に名札取付部を設置し、前記盛皿部にダミー供物を設置するとともに前記名札取付部に名札を設置したダミー篭盛において、前記名札に補助シートを重ねることによって袋部を形成し、この袋部に金券相当品を収容したものである。
【０００８】
この場合、前記袋部を前記名札の裏面に設けるとともに前記名札に窓部を設け、この窓部の内側に前記金券相当品を配置することもできる。
【０００９】
また、前記袋部を前記名札の表面に設けるとともに前記補助シートを透明部材で形成し、この透明部材の内側に前記金券相当品を配置することもできる。
【考案の効果】
【００１０】
この考案に係るダミー篭盛は上記のように構成されているため、即ち、盛皿部に名札取付部を設置し、前記盛皿部にダミー供物を設置するとともに前記名札取付部に名札を設置したダミー篭盛において、前記名札に補助シートを重ねることによって袋部を形成し、この袋部に金券類を収容したため、お供物である金券類は名札と一体的に移動する結果、喪主側に名札を渡す際に同時に渡すことができるものである。
【００１１】
よって、このダミー盛篭を使用すれば、お供物である金券類を喪主側に渡すのを忘れることなく、業者は、当該ダミー篭盛を引き取ることができ繰り返し使用することができるものである。この際、ダミー篭盛とともに金券類を下取りすることもできる。また、喪主側は従来と異なり、梱包を解くことなくお供物である金券類のみを受け取ることができるものである。さらに、梱包を解かないためゴミがでることなく、再利用しやすいものである。
【００１２】
この場合、前記袋部を前記名札の裏面に設けるとともに前記名札に窓部を設け、この窓部の内側に前記金券類を配置すれば、名札の表面側に金券類が露出するため、盛篭に名札を設置した際にお供え主の氏名（名称）とともにお供物である金券類の内容を表示することができる。
【００１３】
また、前記袋部を前記名札の表面に設けるとともに前記補助シートを透明部材で形成し、この透明部材の内側に前記金券類を配置すれば、名札に窓部を形成することなく、お供え主の氏名（名称）とともにお供物である金券類の内容を表示することができる。
【考案を実施するための最良の形態】
【００１４】
この考案に係るダミー篭盛は、盛皿部に名札取付部を設置する。前記盛皿部にダミー供物を設置する。前記名札取付部に名札を設置する。前記名札には補助シートを重ねることによって袋部を形成する。この袋部に金券類を収容する。前記袋部を前記名札の裏面に設けるとともに前記名札に窓部を設ける。この窓部の内側に前記金券類を配置する。この際、窓部に透明シートを張設することもできる。また、前記袋部を前記名札の表面に設けるとともに前記補助シートを透明部材で形成し、この透明部材の内側に前記金券類を配置することもできる。
【００１５】
この考案に係るダミー篭盛において、「金券類」とは商品券、商品引換券、プリペイドカード等の金券に相当するシート状のお供え品が該当する。
【実施例】
【００１６】
以下、この考案の実施例を図面に基づいて説明する。
【００１７】
図１はこの考案に係るダミー篭盛の正面図、図２は図１におけるII-II線拡大断面図、図３は名札の実施例の斜視図、図４は同他の実施例の斜視図である。
【００１８】
図１において、１はダミー篭盛であり、１０はその盛篭である。この盛篭１０は台部１１と盛皿部１２とから構成されている。
【００１９】
２０、２０は花飾りであり、前記盛皿部１２の両端部に設置されている。この花飾り２０、２０は上方に延びている。３０，３０、…はダミー缶詰であり、前記盛皿部１２にクッション材１３を介して並べられている。このダミー缶詰３０，３０、…はこの考案のダミー供物に相当し、ダミーの果物であってもよい。なお、前記盛皿部１２の表面には、透明カバーシート１４が張られ、前記ダミー缶詰３０，３０、…が魚かないように固定している。
【００２０】
５０は名札取付枠（この考案の「名札取付部」に相当する）であり、前記盛皿部１２の奥側の略真ん中に着脱可能に設置されている。この名札取付枠５０は前記一対の花飾り２０，２０の間に位置している。
【００２１】
図１及び図２において、５１は枠シートであり、前記名札取付枠５０の表面に嵌められている。この枠シート５１は後記名札６０を立派に見せるためのものであり、上部に菊の花をバックにして「御供」の文字が記載されている。
【００２２】
図１〜図３において、６０は名札であり、前記枠シート５１に囲まれた状態でその内側に重ねられている。この名札６０の表面にはお供え主の氏名（名称）６９が記載されている。６１は袋部であり、前記名札６０の裏面に補助シート６２を重設することによって形成されている。６３はこの袋部６１の上端開口であるが、この開口は側部であってもよい。６４は金券類であり、前記袋部６１に重ねられた状態で収容されている。この金券類６４は前記袋部６１の底部に位置している。６５は窓部であり、前記名札６０の下部に形成されている。この窓部６５の内側には透明シート６６が張られ、この透明シート６６を介して前記金券類６４の内容を見ることができる。なお、この窓部６５は必ずしも設ける必要はない。６８は押さえ部材であり、前記名札６０を前記名札取付枠５０に固定している。
【００２３】
なお、図４に示すように、名札６０の下部に透明シート（この考案の「透明部材」に相当する）６７を張ることによって袋部６１を形成し、この袋部６２に前記金券類６４を収容することもできる。
【産業上の利用可能性】
【００２４】
この考案に係るダミー篭盛は、お供物である金券類を喪主側に渡すのを忘れることなく、業者は、当該ダミー篭盛を引き取ることができ繰り返し使用することができるものである。また、喪主側は従来と異なり、梱包を解くことなくお供物である金券類のみを受け取ることができる。さらに、梱包を解かないためゴミがでることなく、再利用しやすい。産業上の利用可能性は高いものである。
【図面の簡単な説明】
【００２５】
【図１】図１はこの考案に係るダミー篭盛の正面図である。
【図２】図２は図１におけるII-II線拡大断面図である。
【図３】図３は名札の実施例の斜視図である。
【図４】図４は同他の実施例の斜視図である。
【符号の説明】
【００２６】
１  …  ダミー篭盛
１０  …  盛篭
１１  …  台部
１２  …  盛皿部
１３  …  クッション材
１４  …  透明カバーシート
２０  …  花飾り
３０  …  ダミー缶詰（ダミー供物）
５０  …  名札取付枠（名札取付部）
５１  …  枠シート
６０  …  名札
６１  …  袋部
６２  …  補助シート
６３  …  上端開口
６４  …  金券類
６５  …  窓部
６６  …  透明シート
６７  …  透明シート（透明部材）
６８  …  押さえ部材
６９  …  氏名（名称）
【図１】
0003169977.tif 000003
【図２】
0003169977.tif 000004
【図３】
0003169977.tif 000005
【図４】
0003169977.tif 000006